(57)【要約】【課題】小型カードの保持機能を強化する小型カード保持筐体を提供する。【解決手段】本発明の小型カード保持筐体の特徴は、本体裏側カバー１０に弾性材料で形成された保持部２０を設けることで、本体裏側カバー１０のカード挿入の空間部１１よりカード１を挿入し、カード１の端面をガイド用傾斜面を滑らせながらスライドさせてカードコネクタ３０に収納するとき、弾性材料で形成された保持部２０はカード１の前部を仮固定し、電池カバーの勘合用凸部を弾性材料で形成された保持部２０の勘合用凹部に圧入することで、弾性材料で形成された保持部２０は変形不可能となり、カード１を完全に固定するものである。【選択図】　　　　図１
2004070759.tif 000002
【特許請求の範囲】
【請求項１】
本体裏側カバーと、本体表側ケースと、電池カバーを有する携帯端末機において、
前記本体裏側カバーは、カード挿入の空間部と、カードの挿入方向に対して垂直方向からカードを固定するカード保持金具と、カードと電気的接触をおこなう接点部と、前記本体裏側カバーと本体表側ケースの間に位置しており、カードを収納するカードコネクタとを有し、カードは前記カードコネクタに装着されることで保持される弾性構造体を用いた小型カード保持筐体であって、
本体裏側カバーに一体成形で形成され、カードを保持するカード保持部を有することを特徴とする小型カード保持筐体。
【請求項２】
前記カード保持部は、前記カードコネクタにおけるカードのスライド方向の前部に位置しており、カードの前部を保持することを特徴とする請求項１に記載の小型カード保持筐体。
【請求項３】
前記カード保持部は、
弾性体で形成されていることを特徴とする請求項１に記載の小型カード保持筐体。
【請求項４】
前記カード保持部は、
カード挿入のガイドとなる傾斜面を有することを特徴とする請求項１に記載の小型カード保持筐体。
【請求項５】
前記カード保持部は、
前記カード保持部の中央に嵌合用凹部を有することを特徴とする請求項１に記載の小型カード保持筐体。
【請求項６】
前記電池カバーは、
カード保持部の前記嵌合用凹部に対応する嵌合用凸部を有することを特徴とする請求項５に記載の小型カード保持筐体。
【発明の詳細な説明】
【０００１】
【発明の属する技術分野】
本発明は、小型カード保持筐体に関するもので、特に携帯端末機の識別カードの保持筐体に関する。
【０００２】
【従来の技術】
従来から携帯端末機に使用される識別カード等のカード保持を容易に達成するものが知られている。
【０００３】
特開２００１−２４４００４号に記載されたものはカードのスライド量を低減し、かつカードを撓ませずに取り出すことのできるカード保持構造を提供するために、携帯電話機の裏面側ケース内に設けられたカード装着用凹部に固定されたカードコネクタにカードをスライドさせて装着するようになっており、カードコネクタにおけるカードのスライド方向の前部に設けたカード保持部によりカードの前部を保持し、裏面側ケースのカバー兼バッテリーの内壁面によりカードの後部を保持している。また、カード装着用凹部の底面に一端が固定された矩形の弾性片からなるケース側ストッパを設けている。
【０００４】
【発明が解決しようとする課題】
前記の技術以外に携帯端末機に装着される小型薄型のカードコネクタのカード保持構造をすることを目的とする技術として図９に示す技術がある。これは保持用の傾斜面５２を利用し、カード５１をスライドさせてカードコネクタ５３に装着させ、本体裏側カバー５０で形成された縦壁を利用して、抜け防止を実現している。
しかし、これではカードの脱着が縦壁で邪魔され困難になると共に、カードと壁との隙間があることにより、カードのスライド方向にあそびが生じてしまい確実な保持が困難になるという不具合点がある。
【０００５】
また特開２００１−２４４００４号ではデスクトップ型のパソコンのような動かさない端末に対してはそのカード保持機能は有効であるが、携帯端末機のような動かす端末に対しては動かすときの衝動が大きければカードが外れてしまうこともある。
【０００６】
これらを解決するため本発明では、本体裏側に形成された弾性体によりカード装着時のあそびを無くし、かつ装着されるほかの部材により、弾性体を剛体の特性に近くすることによって、携帯端末として使用中のカード保持を確実にすることを目的とする。具体的には各請求項毎に対して以下のことを目的としている。
【０００７】
請求項１に記載の発明では、カード保持部が小型で簡易な構造にすることで、十分なカード保持実現することを目的とする。
【０００８】
請求項２に記載の発明では、カード保持部がカードの前部を固定することで、カードコネクタによるカードの後部を保持することと合わせて、カード保持が幾何学的にも確実なものにすることを目的とする。
【０００９】
請求項３に記載の発明では、カード保持部を弾性体とすることで、カードの挿入に対して柔軟に変形してカードを仮固定し、カードの脱着も容易におこなえるようにすることを目的とする。
【００１０】
請求項４に記載の発明では、カード保持部に傾斜面を設けることで、ユーザがカードを違った角度から挿入していくことでカードおよび、携帯端末機の各部品に余計なストレスがかかる状態を防ぐことを目的とする。
【００１１】
請求項５および６に記載の発明では、カード保持部が有する嵌合用凹部に電池カバーが有する嵌合用凸部が圧入され中実の構造体を形成することで、カードの保持を確実なものとすることを目的とする。
【００１２】
【課題を解決するための手段】
かかる目的を解決するため、請求項１に記載の発明では、本体裏側カバーと、本体表側ケースと、電池カバーを有する携帯端末機において、本体裏側カバーは、カード挿入の空間部と、カードの挿入方向に対して垂直方向からカードを固定するカード保持金具と、カードと電気的接触をおこなう接点部と、本体裏側カバーと本体表側ケースの間に位置しており、カードを収納するカードコネクタとを有し、カードはカードコネクタに装着されることで保持される弾性構造体を用いた小型カード保持筐体であって、本体裏側カバーに一体成形で形成され、カードを保持するカード保持部を有することを特徴とする。
【００１３】
請求項２に記載の発明では、請求項１に記載の発明において、カード保持部は、カードコネクタにおけるカードのスライド方向の前部に位置しており、カードの前部を保持することを特徴とする。
【００１４】
請求項３に記載の発明では、請求項１に記載の発明において、カード保持部は、弾性体で形成されていることを特徴とする。
【００１５】
請求項４に記載の発明では、請求項１に記載の発明において、カード保持部は、カード挿入のガイドとなる傾斜面を有することを特徴とする。
【００１６】
請求項５に記載の発明では、請求項１に記載の発明において、カード保持部は、カード保持部の中央に嵌合用凹部を有することを特徴とする。
【００１７】
請求項６に記載の発明では、請求項５に記載の発明において、電池カバーは、カード保持部の嵌合用凹部に対応する嵌合用凸部を有することを特徴とする。
【００１８】
【発明の実施の形態】
以下、本発明の実施の形態を図１から図８を参照しながら説明する。
【００１９】
［実施例の構成］
本発明の実施例の装置構成を説明する。図１は携帯端末機の本体裏側カバーの実施例斜視図であり、小型カード１を取り付ける携帯端末機の本体裏側カバー１０から小型カード１を取り付けるカードコネクタ３０が現われている。また本体裏側カバーの正面図を図２に示す。このカードコネクタ３０はプリント基板にはんだ付けされて本体裏側カバー１０と本体表側ケース１２の間に収納されている。本体裏側カバー１０には一体成形で形成された弾性材料で形成された保持部２０がカード挿入の空間部１１の両側にある。弾性材料で形成された保持部２０には図３の図２Ｂ−Ｂ断面図に示す通り嵌合用凹部２１が形成されており、小型カード１を押し付ける際にガイドとなるようにガイド用の傾斜面２２が形成されている。
【００２０】
また、図５のカード装着時の本体裏側カバーの斜視図と図６のカード装着時の本体裏側カバー正面図で示す通り弾性材料で形成された保持部２０の形成位置は小型カード１がカードコネクタ３０の奥に突き当てられた際、小型カード１の先端部にわずかに当たるように設計されている。本機構に用いられるカードコネクタ３０はカード保持金具３１が小型カード１の中央に配置されるように一体形成されたカードコネクタであり、小型カード１が本カードコネクタに装着されれば、カード挿入方向に対して垂直方向からの固定はカード保持金具３１で行われる。なお図６において、カード保持金具３１の上端面からカード挿入のための空間部１１の上端面までの距離は小型カード１のそれよりも長く作られている。
【００２１】
図４の電池カバー斜視図は電池カバー４０を示す。本体裏カバー１０に取り付けられる電池カバー４０は表面に嵌合用凸部４１が形成されており、電池カバー４０を本体裏側カバー１０に取り付けた際、これら２個形成されている嵌合用凸部４１は本体裏側カバー１０に形成された弾性材料で形成された保持部２０の嵌合用凹部２１に圧入されるように設計されており、圧入された状態を図８の電池カバー装着時の図６断面図Ｃ−Ｃに示す。
【００２２】
［実施例の動作の説明］
小型カード１が取り付けられていない状態の斜視図を図１に示す。本体裏側カバー１０には弾性材料で形成された保持部２０があり、電池カバー４０が嵌合されていない状態では、弾性材料で形成された保持部２０の嵌合用凹部２１は中空となっている。これに小型カード１を本体裏側カバー１０のカード挿入のための空間部１１に押し込むと、小型カード１の端面はガイド用の傾斜面２２を滑り、かつ弾性材料で形成された保持部２０を変形させながら底面にぶつかる。この時小型カード１はカード保持金具３１の手前になるようにカード挿入のため空間部１１のあそびを有する。底面に到達した小型カード１は指の爪やはらなどで図５の斜視図に示す通りカードコネクタ３０側にスライドされ、図６に示すようにカードコネクタ３０に収納される。
【００２３】
小型カード１が完全にカードコネクタ３０に収納されると、小型カード１によって変形していた弾性材料で形成された保持部２０は外力から開放され、本来の形状に戻る。この際、小型カード１が完全にカードコネクタ３０に収納されても、小型カード１の両端の若干量が弾性材料で形成された保持部２０に掛かって仮固定されている。
【００２４】
この状態において、電池カバー４０を本体裏側カバー１０に装着すると図７の電池カバー装着時の図６の断面図Ａ−Ａ及び図８の断面図に示す通り電池カバー４０に形成された嵌合用凸部４１はカード挿入のための空間部１１に形成されている嵌合用凹部２１に圧入される。これにより、弾性材料で形成された保持部２０は中実の構造体になり、弾性体の大きな変形が不可能となり小型カード１が衝撃や振動などの外力により動くことができず固定される。
【００２５】
この保持状態を解除するためには、電池カバー４０を取り外すことにより嵌合用凸部４１が弾性材料で形成された保持部２０の嵌合用凹部２１から外れ、弾性材料で形成された保持部２０は中空で変形しやすくなる。よって小型カード１を再び指の爪やはらによってカード挿入のための空間部１１方向にスライドさせることによって、小型カード１がカードコネクタ３０のカード保持金具３１から離れ取り外しが可能となる。
【００２６】
【発明の効果】
以上の説明から明らかなように本発明により以下のような効果が得られる。
【００２７】
請求項１に記載の発明によれば、カード保持部が小型で簡易な構造であっても、十分なカード保持を可能とする。
【００２８】
請求項２に記載の発明によれば、カード保持部がカードの前部を固定することで、カードコネクタによるカードの後部を保持することと合わせて、カード保持が幾何学的にも確実なものになる。
【００２９】
請求項３に記載の発明によれば、カード保持部を弾性体とすることで、カードの挿入に対して柔軟に変形し、カードを仮固定することになる。これはカードの確実な固定を容易におこなうための前段階であり、またこのような仮固定状態を有することでカードの脱着も容易におこなえるようになる。
【００３０】
請求項４に記載の発明によれば、カード保持部に傾斜面を設けることで、ユーザがカードを違った角度から挿入していくことでカードおよび、携帯端末機の各部品に余計なストレスがかかる状態を防ぐことになる。
【００３１】
請求項５および６に記載の発明によれば、カード保持部が有する嵌合用凹部に電池カバーが有する嵌合用凸部が圧入され中実の構造体を形成することで、カードの保持を確実なものとしている。外部から何らかの衝撃や振動が加わったとしても余計なあそびがないのでカードが動くことはない。
【図面の簡単な説明】
【図１】携帯端末機の本体裏側カバーの実施例斜視図である。
【図２】携帯端末機の本体裏側カバー正面図である。
【図３】図２の断面Ｂ−Ｂ図である。
【図４】携帯端末機の電池カバー斜視図である。
【図５】カード装着時の本体裏側カバーの斜視図である。
【図６】カード装着時の本体裏側カバー正面図である。
【図７】電池カバー装着時の図６の断面Ａ−Ａ図である。
【図８】電池カバー装着時の図６の断面Ｃ−Ｃ図である。
【図９】従来技術を用いた携帯端末機の本体裏側カバーのカード保持図である。
【符号の説明】
１　小型カード
１０　本体裏側カバー
１１　カード挿入のための空間部
１２　本体表側ケース
２０　弾性材料で形成された保持部
２１　嵌合用凹部
２２　ガイド用の傾斜面（テーパ）
３０　カードコネクタ
３１　カード保持金具
３２　接点部
４０　電池カバー
４１　嵌合用凸部（ボス）
５０　本体裏側カバー
５１　カード
５２　保持用の傾斜面
５３　カードコネクタ
５４　カード保持金具
【図１】
2004070759.tif 000003
【図２】
2004070759.tif 000004
【図３】
2004070759.tif 000005
【図４】
2004070759.tif 000006
【図５】
2004070759.tif 000007
【図６】
2004070759.tif 000008
【図７】
2004070759.tif 000009
【図８】
2004070759.tif 000010
【図９】
2004070759.tif 000011